(57)【要約】【課題】主に建物内において主に白杖を使用している視覚障害者の誘導が可能であり、かつ、健常者や車イス使用者にとっても歩行、通行のし易い視覚障害者誘導用床システムを構成する誘導用床タイル及び警告用床タイルの製造方法を提供する。【解決手段】主たる２種類の低分子量、低粘度、高反応性原料を、高圧で混合室に導入して衝突混合させ、密閉型中に射出し短時間で反応固化させ、高分子樹脂を生成させるＲＩＭ成形により、誘導用床タイル及び警告用床タイルを製造する。【選択図】図１
2013133583.tif 000002
【特許請求の範囲】
【請求項１】
床面上に視覚障害者により他の領域と区別され得る視覚障害者誘導領域を敷設し、この視覚障害者誘導領域により誘導経路を構成して、視覚障害者を誘導する視覚障害者誘導用床システムを構成する膨出部を有する誘導用床タイル及び警告用床タイルを製造する方法であって、
主たる２種類の低分子量、低粘度、高反応性原料を、高圧で混合室に導入して衝突混合させ、密閉型中に射出し短時間で反応固化させ、高分子樹脂を生成させるＲＩＭ成形により、誘導用床タイル及び警告用床タイルを製造する
ことを特徴とする視覚障害者誘導用床システムを構成する誘導用床タイル及び警告用床タイルの製造方法。
【請求項２】
膨出部の高さを、３ｍｍ以内とする
ことを特徴とする請求項１記載の視覚障害者誘導用床システムを構成する誘導用床タイル及び警告用床タイルの製造方法。
【請求項３】
前記誘導用床タイル及び前記警告用床タイルの硬度を９５°以上とする
ことを特徴とする請求項１、または、請求項２記載の視覚障害者誘導用床システムを構成する誘導用床タイル及び警告用床タイルの製造方法。
【発明の詳細な説明】
【技術分野】
【０００１】
本発明は、主に屋内において視覚障害者を誘導する視覚障害者誘導用床システムを構成する誘導用床タイル及び警告用床タイルの製造方法に関する。
【背景技術】
【０００２】
本件出願人は、先に、特願２０１０−１２５３８２において、視覚障害者を誘導する視覚障害者誘導用床システムを提案している。この視覚障害者誘導用床システムは、特許文献１に記載されているように、主に建物内において、主に白杖を使用している視覚障害者の誘導が可能であり、かつ、健常者や車イス使用者にとっても歩行、通行のし易い視覚障害者誘導用床システムを提供するものである。
【０００３】
この視覚障害者誘導用床システムにおいては、図１に示すように、床面上に視覚障害者により他の領域１０２と区別され得る視覚障害者誘導領域１０１を敷設して誘導経路を構成する。誘導経路は、分岐点に、警告パターンが形成された視覚障害者警告領域１０３を有している。警告パターンは、互いの高低差が３ｍｍ以内であって、かつ、視覚障害者誘導領域１の他の領域２の表面に対する高低差が３ｍｍ以内である凹部及び凸部からなり、これら凹部及び凸部のいずれか一方は、網目状パターンをなし、他方は、ドット状パターンをなしている。
【先行技術文献】
【特許文献】
【０００４】
【特許文献１】特開２０１１−０１２５３８号公報
【発明の概要】
【発明が解決しようとする課題】
【０００５】
ところで、前述した視覚障害者誘導用床システムを構成するためには、視覚障害者誘導領域１０１を構成する誘導用床タイルが必要である。また、視覚障害者警告領域１０３を構成するため、警告パターンを有する警告用床タイルが必要である。
【０００６】
しかしながら、このような誘導用床タイルや警告用床タイルは、本件出願人が提案した新規なものであり、その製造方法が提案されていない。これら誘導用床タイルや警告用床タイルは、床上に設置され、歩行者がこの上を歩くとともに、白杖の先端部が摺接される状態に置かれるため、十分な耐久性が要求される。
【０００７】
したがって、このような十分な耐久性を有する誘導用床タイル及び警告用床タイルの製造方法を提案する必要がある。また、製造が容易であって、低コストで誘導用床タイル及び警告用床タイルを製造することができる製造方法の提案が望まれている。
【０００８】
そこで、本発明は、前述の実情に鑑みて提案されるものであって、視覚障害者誘導用床システムを構成するため、十分な耐久性を有する誘導用床タイル及び警告用床タイルを、容易、かつ、低コストで製造することができる製造方法を提案することを目的とする。
【課題を解決するための手段】
【０００９】
本発明においては、白杖による検出が可能でかつ限りなくフラットに近い凸部を有する誘導用床タイル及び警告用床タイルを、容易、かつ、低コストで製造することを可能とするため、以下の構成のいずれか一を備えるものである。
【００１０】
〔構成１〕
床面上に視覚障害者により他の領域と区別され得る視覚障害者誘導領域を敷設し視覚障害者誘導領域により誘導経路を構成して視覚障害者を誘導する視覚障害者誘導用床システムを構成する膨出部を有する誘導用床タイル及び警告用床タイルを製造する方法であって、主たる２種類の低分子量、低粘度、高反応性原料を、高圧で混合室に導入して衝突混合させ、密閉型中に射出し短時間で反応固化させ、高分子樹脂を生成させるＲＩＭ成形により、誘導用床タイル及び警告用床タイルを製造することを特徴とするものである。
【００１１】
〔構成２〕
構成１を有する視覚障害者誘導用床システムを構成する誘導用床タイル及び警告用床タイルの製造方法において、膨出部の高さを、３ｍｍ以内とすることを特徴とするものである。
【００１２】
〔構成３〕
構成１、または、構成２を有する視覚障害者誘導用床システムを構成する誘導用床タイル及び警告用床タイルの製造方法において、誘導用床タイル及び警告用床タイルの硬度を９５°以上とすることを特徴とするものである。
【発明の効果】
【００１３】
本発明に係る視覚障害者誘導用床システムを構成する誘導用床タイル及び警告用床タイルの製造方法においては、構成１を有することにより、ＲＩＭ成形により、誘導用床タイル及び警告用床タイルを製造するので、容易、かつ、低コストで、十分な耐久性を有する誘導用床タイル及び警告用床タイルを製造することができる。
【００１４】
また、構成２を有することにより、膨出部の高さを３ｍｍ以内とするので、視覚障害者誘導用床システムを良好に構成できる誘導用床タイル及び警告用床タイルを製造することができる。
【００１５】
また、構成３を有することにより、硬度を９５°以上とするので、視覚障害者誘導用床システムを良好に構成できる誘導用床タイル及び警告用床タイルを製造することができる。
【００１６】
すなわち、本発明は、視覚障害者誘導用床システムを構成するため、十分な耐久性を有する誘導用床タイル及び警告用床タイルを、容易、かつ、低コストで製造することができる製造方法を提供することができるものである。
【図面の簡単な説明】
【００１７】
【図１】本発明に係る製造方法により製造される視覚障害者誘導用床システムの構成を示す平面図である。
【図２】本発明に係る視覚障害者誘導用床システムにおける誘導パターン及び警告パターンを示す平面図である。
【図３】本発明に係る視覚障害者誘導用床システムにおける誘導パターンを示す平面図である。
【図４】本発明に係る視覚障害者誘導用床システムにおける警告パターンの形状を示す平面図及び側面図である。
【発明を実施するための形態】
【００１８】
以下、本発明の実施の形態について、図面を参照して説明する。
【００１９】
図２は、本発明に係る視覚障害者誘導用床システムにおける誘導パターン及び警告パターンを示す平面図である。
【００２０】
本発明は、図２中の（ａ）（ｂ）に示すように、本件出願人が特願２０１０−１２５３８２において提案した視覚障害者誘導用床システムにおける視覚障害者誘導領域を構成するために使用される誘導用床タイル１及び警告用床タイル３を製造するための製造方法に係るものである。
【００２１】
図３は、本発明に係る視覚障害者誘導用床システムにおける誘導パターンを示す平面図である。
【００２２】
図４は、本発明に係る視覚障害者誘導用床システムにおける警告パターンの形状を示す平面図及び側面図である。
【００２３】
この視覚障害者誘導用床システムにおける誘導用床タイル１及び警告用床タイル３は、
図３中の（ａ）（ｂ）及び図４に示すように、それぞれ表面上に誘導パターン１ａ及び警告パターン３ａ，３ｂが形成され、床面上に設置される薄板状の部材である。
【００２４】
誘導パターン１ａ及び警告パターン３ａ，３ｂは、互いの高低差が３ｍｍ以内であって、かつ、視覚障害者誘導領域の他の領域の表面に対する高低差が３ｍｍ以内である凹部及び凸部からなる。
【００２５】
誘導パターン１ａにおいては、凹部及び凸部が、視覚障害者を誘導しようとする方向の線状パターンをなしている。警告パターン３ａ，３ｂにおいては、凹部及び凸部のいずれか一方は、網目状パターンをなし、他方は、ドット状パターンをなしている。
【００２６】
警告パターン及び誘導パターンは、白杖によって認識することができ、白杖を使用している視覚障害者に警告及び誘導方向を伝えることが可能なものである。
【００２７】
誘導パターン及び誘導パターンの凸部は、従来のＪＩＳ９２５１に規定されている突起の高さよりも低いものである。凸部の高さは、３．１〜３．３ｍｍにしても足裏で検知可能であることから、その上を歩行する際には、下肢のバランスを保持するために身体に負担がかかり、躓きの原因となりうる。また、車椅子使用者にはこの突起を越えるために大きな負担を強いられる。ベビーカー利用者にとっては、移動のしづらさや赤ちゃんへの振動の影響が大きい。杖使用者にとっては、歩行バランスを崩す恐れがある。
【００２８】
したがって、凸部の高さを３ｍｍ以下にすれば、足裏での検知が不可能となり、その上を歩行する際の身体への負担がなくなり、躓きの原因とならない。また、車椅子使用者は、この凸部を越えるための負担がない。ベビーカー利用者にとっても、移動のしづらさや赤ちゃんへの振動の影響がなくなる。杖使用者にとっても、歩行バランスを崩す恐れがない。
【００２９】
警告パターンの形状は、凹部及び凸部のいずれか一方が網目状パターンをなし、他方がドット状パターンをなすものであり、典型的には、凸部をドット状パターンとし、このドットの間を埋める網目状パターンを凹部としたものである。警告パターンのドット状パターンにおけるドットの配列は、任意のドットとこのドットに最も近い隣接するドットとを結ぶ線が、視覚障害者を誘導しようとする方向に対して平行、または、直交している平行格子配列でもよいし、視覚障害者を誘導しようとする方向に対して傾斜している千鳥配列としてもよい。
【００３０】
なお、警告パターンのドット状パターンにおけるドットの配列を千鳥配列とした場合には、凹部及び凸部は、互いの高低差を１ｍｍ以上１．５ｍｍ以内、かつ、視覚障害者誘導領域の他の領域の表面に対する高低差を１ｍｍ以上１．５ｍｍ以内としてもよい。
【００３１】
警告パターンにおいては、ドット状パターンを形成する各ドットの面積の合計は、視覚障害者警告領域の面積の５％以上であることが望ましい。また、ドット状パターンを形成する各ドットの面積の合計は、視覚障害者警告領域の面積の５％以上６０％未満であることが望ましい。
【００３２】
〔第１の実施の形態〕
本発明に係る視覚障害者誘導用床システムを構成する誘導用床タイル１及び警告用床タイル３の製造方法は、主たる２種類の低分子量、低粘度、高反応性原料を高圧（８０〜１９０kg／cm２）で混合室に導入して衝突混合させ、密閉型中に射出し短時間で反応固化させ高分子樹脂を生成させるＲＩＭ成形により、誘導用床タイル及び警告用床タイルを製造するものである。
【００３３】
ＲＩＭ成形は、比較的低温（原料温度２０〜５０°Ｃ、型温度４０〜８０°Ｃ）で成形することができ、型内圧カは３〜５kg／cm２で、型締機や型が小型でよいという特徴がある。また、低粘度原料を使用するため、原料の型流れ性が良く、大型で複雑な形状の成形品の製造を容易に行うことができる。さらに、ＲＩＭ成形では、ボス、リブのある物でも成形品のヒケが少なく、型ヘの圧入ができるため、薄肉で複雑な形状の物の成形が容易である。また、原料選択の範囲が広く、容易に成型品の硬軟剛柔を調整できる。
【００３４】
材料としては、ウレタン（urethane）を用いることができる。ウレタンは、カルボニル基を介してアミノ基とアルコール基が脱水縮合した化合物である。カルバミン酸のエステルに相当し、カルバメートもしくはカルバマート（carbamate）とも呼ばれる。
【００３５】
ＲＩＭ成形は、剥離材塗布、塗装フィルムセット（塗装工程）、型締め、原材料射出、成形硬化、型開き、成形品取り出し、金型清掃という製造工程を経て実施される。一つの工程に塗装工程を含めることができるのが特徴であり、少量多色の製造が可能である。なお、原材料を染料で色付けする方法では、少量多品種生産を実現できない。
【００３６】
また、ＲＩＭ成形では、原材料の種類や発泡率によって、多様な硬さの成形品を製作可能である。誘導用床タイル１及び警告用床タイル３の硬さは、白杖による検知しやすさに大きく関わるため、最適な硬さの設定は、本願出願人が新たに生み出した独自技術である。すなわち、誘導用床タイル１及び前記警告用床タイル３の硬度は、９５°以上であることが望ましい。
【００３７】
そして、裏面には両面粘着シートを貼着する。この両面粘着シートは、基材を有しており、一面側が誘導用床タイル１、または、警告用床タイル３に貼着され、他面側は、誘導用床タイル１及び警告用床タイル３を設置する床面に貼着される。
【産業上の利用可能性】
【００３８】
本発明は、主に屋内において視覚障害者を誘導する視覚障害者誘導用床システムを構成する誘導用床タイル及び警告用床タイルの製造方法に適用される。
【符号の説明】
【００３９】
１０１  視覚障害者誘導領域
１０２  その他の領域
１０３  視覚障害者警告領域
【図１】
2013133583.tif 000003
【図２】
2013133583.tif 000004
【図３】
2013133583.tif 000005
【図４】
2013133583.tif 000006